(57)【特許請求の範囲】
【請求項１】
軸筒内に大径部と小径部とを連接したリフィルを配置し、軸筒に設けた繰り出し機構によりリフィルを軸筒先端から突出させ、且つ、リフィルの段部に当接するよう軸筒内に配置したコイルスプリングにより突出したリフィルを軸筒内に収容するようなした筆記具に於いて、前記コイルスプリングの後端にガイド部として、コイルスプリング自体の後端部が、巻き内径が後方に向かって拡開しつつ、線材の隙間にリフィル先端が入り込まない程度の大きさか又は線材が密着している部分として形成され、且つ、このガイド部の最大内径を、前記リフィルの大径部より大きくなした筆記具。
【発明の詳細な説明】
【０００１】
【発明の属する技術分野】
本発明は、回転繰り出し式やノック式によってリフィルが出没する筆記具に関する。
【０００２】
【従来の技術】
従来、軸筒内に移動可能に収容したリフィルを回転繰り出し機構やノック機構などの繰り出し機構によって出没可能となした筆記具は、一般に知られている。
このような筆記具は、リフィル前部にリフィルをペン先と反対側へ押しつけるためのコイルスプリングが取り付けられており、このコイルスプリングの付勢力によってリフィルを軸筒内に収容している。
【０００３】
【本発明が解決しようとする課題】
ところで、上記筆記具を使用するに当たって、リフィルを交換する場合、使用者は、リフィルを軸筒内に挿入すると同時に、軸筒内に配置されたコイルスプリングにも挿入する必要がある。
しかしながら、リフィル交換挿入の際、軸筒内に配置されたコイルスプリングの中にめがけて挿入することは困難であり、リフィルの先端がコイルスプリングと軸筒の内壁との間の隙間に入ってしまい誤挿入となるという問題があった（図７、８参照）。
本発明は、上記問題点に鑑みてなされたものであり、リフィル装着時に誤挿入の発生し難いリフィル出没式筆記具を提供することを課題とする。
【０００４】
【課題を解決するための手段】
本発明は、軸筒内に大径部と小径部とを連接したリフィルを配置し、軸筒に設けた繰り出し機構によりリフィルを軸筒先端から突出させ、且つ、リフィルの段部に当接するよう軸筒内に配置したコイルスプリングにより突出したリフィルを軸筒内に収容するようなした筆記具に於いて、前記コイルスプリングの後端にガイド部として、コイルスプリング自体の後端部が、巻き内径が後方に向かって拡開しつつ、線材の隙間にリフィル先端が入り込まない程度の大きさか又は線材が密着している部分として形成され、且つ、このガイド部の最大内径を、前記リフィルの大径部より大きくなした筆記具を要旨とする。
【０００５】
【作用】
本発明に係る筆記具は、軸筒内に配置したコイルスプリングの後端に後方に向けて拡開するガイド部を形成すると共に、このガイド部の最大内径をリフィルの大径部、即ち、リフィルの最大外径より大きくなしている。
このことによって、リフィルが、ガイド部に沿ってコイルスプリング内に容易に挿入されるだけでなく、内径の大きな軸筒内に外径の小さなリフィルを挿入する場合にも、リフィルが確実にコイルスプリング内に挿入され、誤挿入を発生しない。
【０００６】
【実施例】
以下、図面を参照して本発明の実施例を説明する。
実施例１
実施例１を図１に示す。
実施例１は、繰り出し機構として回転繰り出し機構を採用したボールペンの事例であるが、本発明に於いて、繰り出し機構及び筆記具の種類は、この実施例に限定されるものではない。
実施例１の筆記具は、前軸部１と後軸部２とからなる本体内にリフィル３が出没自在に収容されたものである。
前軸部１は、貫通孔を有する前軸４の先端に、リフィル３先端の出没孔５ａを形成し、リフィル３を戻すためのコイルスプリング１０６を内部に配置した先金５を螺合などの手段によって取り付け、前軸４の後部に後軸部２と連結するための中子７を取り付けたものである。
なお、前軸４と先金５とは、一体であってもよく、また前軸４と中子７とは、一体であってもよい。
一方、後軸部２は、貫通孔を有する後軸８の先端に外装部品である飾りリング９を取り付け、後軸８の後端に携帯時に固定するためのクリップ９と外装部品の頭冠１０とを頭冠止め１２によって取り付け、更に、後軸８内部に、回転動作によって前進後退させるためのカム機構１３を前記頭冠止め１２によって固定配置したものである。
カム機構１３は、回転子１４と、摺動子１５と、カム外筒１６とから構成されている。
前軸部１と後軸部２とは、前記中子７にカム外筒１６を挿入することで連結される。
リフィル３は、前部の小径部３ａと最も太い大径部３ｂとが、段部３ｃを介して連接されたものであり、前軸４及び後軸８の貫通孔内に、リフィル３前部が、コイルスプリング１０６内に挿入され、リフィル３後部がカム外筒１６内に挿入されて、出没自在に収容されている。
【０００７】
コイルスプリング１０６は、先金５内に配置されているが、単に挿入された状態であっても、また、先金内部の段によって圧入固定された状態であっても良い。このコイルスプリング１０６は、その両端が座巻きとなっている。座巻きとは、スプリング本来の役目の弾性機能する部分ではなくスプリングを機構部品に取り付ける際安定させるためスプリングの線材が密着した部分である。このコイルスプリング１０６の後端側座巻きには、後方に拡開する貫通孔を形成したガイド部１０６ａをコイルスプリング１０６の後端の座巻きの径を後方に向かって拡開するよう形成している。ガイド部１０６ａをコイルスプリング１０６と一体に形成したので、コストダウンが図れる利点を有している。
なお、本実施例におけるガイド部のピッチは、スプリングの線材同士が密着している方が好ましいが、リフィル先端が入り込まない程度（約２ｍｍ以下）のピッチであっても良い。
次に、本実施例の作用は、リフィル交換時、リフィル先端が傾いて軸筒内に挿入された場合、リフィル先端はガイド部に当接し（図２参照）、ガイド部に沿って挿入されるので、リフィルは正しくコイルスプリング内に挿入される（図３参照）。
【０００８】
実施例２
図４に実施例２を示す。
実施例２は、実施例１に於いて、コイルスプリング２０６が、大径部２０６ｂと小径部２０６ｃとよりなり、後端の座巻きを後方に拡開した第１ガイド部２０６ａとなし、大径部２０６ｂと小径部２０６ｃとの間を第２ガイド部２０６ｄとなした以外は、第１実施例と同様である。
第２ガイド部２０６ｄのピッチは、スプリングの線材同士が密着している方が好ましいが、リフィル先端が入り込まない程度（約２ｍｍ以下）のピッチであっても良い。
実施例２は、上記実施例１に比較して、軸筒の内径が大きいものを用いたとき、ガタの発生を防止できる利点がある。
本実施例の作用は、実施例１と同様であり、リフィル先端がガイド部に当接し（図５参照）、ガイド部に沿って挿入されるので、リフィルは正しくコイルスプリング内に挿入される（図６参照）。
【０００９】
【発明の効果】
以上説明したように、本発明に係る筆記具は、リフィルを確実にかつ容易に装着させることができる。
【図面の簡単な説明】
【図１】  実施例１の縦断面図である。
【図２】  実施例１の作用を説明する要部縦断面図である。
【図３】  実施例１の作用を説明する要部縦断面図である。
【図４】  実施例２の要部縦断面図である。
【図５】  実施例２の作用を説明する要部縦断面図である。
【図６】  実施例２の作用を説明する要部縦断面図である。
【図７】  従来例を説明する要部縦断面図である。
【図８】  従来例を説明する要部縦断面図である。
【符号の説明】
１  前軸部
２  後軸部
３  リフィル
４  前軸
５  先金
１０６  コイルスプリング
１０６ａ  ガイド部
２０６  コイルスプリング
２０６ａ  ガイド部
【図１】
0004300306.tif 000002
【図２】
0004300306.tif 000003
【図３】
0004300306.tif 000004
【図４】
0004300306.tif 000005
【図５】
0004300306.tif 000006
【図６】
0004300306.tif 000007
【図７】
0004300306.tif 000008
【図８】
0004300306.tif 000009